【手続補正書】
【提出日】平成26年4月1日(2014.4.1)
【手続補正１】
【補正対象書類名】特許請求の範囲
【補正対象項目名】全文
【補正方法】変更
【補正の内容】
【特許請求の範囲】
【請求項１】
表示部と制御部と記憶部とを少なくとも備えたナビゲーションシステムであって、
上記記憶部は、
複数の縮尺の地図に関する地図情報、または、上記複数の縮尺の地図に対応可能な上記地図情報を記憶する地図情報記憶手段と、
上記地図上の所定領域に関する所定領域情報、および、当該所定領域に設定された縮尺である縮尺閾値を記憶する縮尺閾値記憶手段と、
を備え、
上記制御部は、
上記表示部において表示させる上記地図情報に基づく上記地図上の地点である表示地点に関する表示地点情報、および、当該地図の表示縮尺を取得する表示縮尺取得手段と、
上記表示縮尺取得手段により取得された上記表示地点情報および上記表示縮尺に基づく上記地図の表示範囲に存在する、上記縮尺閾値記憶手段に記憶された上記所定領域情報に基づく上記所定領域を検出する所定領域検出手段と、
上記所定領域検出手段により検出された上記所定領域に設定された、上記縮尺閾値記憶手段に記憶された上記縮尺閾値を取得する縮尺閾値取得手段と、
上記縮尺閾値取得手段により取得された上記縮尺閾値の、上記所定領域検出手段により検出された上記所定領域の、上記地図に関する上記地図情報記憶手段に記憶された上記地図情報を取得する縮尺閾値地図情報取得手段と、
上記縮尺閾値地図情報取得手段により取得された上記地図情報を上記表示部に表示させる地図情報表示手段と、
を備えたことを特徴とする、ナビゲーションシステム。
【請求項２】
請求項１に記載のナビゲーションシステムにおいて、
上記地図情報表示手段は、
上記地図情報記憶手段に記憶された上記表示範囲となる上記地図に関する上記地図情報上に、上記縮尺閾値地図情報取得手段により取得された上記地図情報を重畳して上記表示部に表示させることを特徴とする、ナビゲーションシステム。
【請求項３】
請求項１または２に記載のナビゲーションシステムにおいて、
上記地図情報表示手段は、
上記縮尺閾値地図情報取得手段が取得した上記地図の表示範囲に存在する複数の上記所定領域の地図情報を表示することを特徴とする、ナビゲーションシステム。
【請求項４】
請求項１乃至３に記載のナビゲーションシステムにおいて、
上記表示縮尺取得手段により取得された上記表示縮尺が、上記縮尺閾値取得手段により取得された上記縮尺閾値より小さいか否か判定する縮尺判定手段を更に備え、
上記縮尺閾値地図情報取得手段は、
上記縮尺判定手段により上記表示縮尺が上記縮尺閾値より小さいと判定された場合、上記縮尺閾値取得手段により取得された上記縮尺閾値の、上記所定領域検出手段により検出された上記所定領域の、上記地図に関する上記地図情報記憶手段に記憶された上記地図情報を取得し、
上記地図情報表示手段は、
上記縮尺閾値地図情報取得手段により取得された上記地図情報を上記表示部に表示させることを特徴とする、ナビゲーションシステム。
【請求項５】
請求項１乃至４に記載のナビゲーションシステムにおいて、
上記記憶部は、
交通網を規定するネットワーク情報を記憶するネットワーク情報記憶手段、
を更に備え、
上記制御部は、
少なくとも出発地と目的地とを含む経路探索条件を満たす上記出発地から上記目的地までの案内経路を、上記ネットワーク情報記憶手段に記憶された上記ネットワーク情報を用いて探索する案内経路探索手段と、
を更に備え、
上記地図情報表示手段は、
上記案内経路探索手段により探索された上記案内経路を含む上記地図に関する上記縮尺閾値地図情報取得手段により取得された上記地図情報を上記表示部に表示させることを特徴とする、ナビゲーションシステム。
【請求項６】
請求項５に記載のナビゲーションシステムにおいて、
上記案内経路探索手段は、
更に、上記案内経路に関する経路情報を生成し、
上記地図情報表示手段は、
更に、上記縮尺閾値地図情報取得手段により取得された上記地図情報上、および／または、上記地図情報記憶手段に記憶された上記表示範囲となる上記地図に関する上記地図情報上に、上記案内経路探索手段により生成された上記経路情報を重畳して上記表示部に表示させることを特徴とする、ナビゲーションシステム。
【請求項７】
請求項５または６に記載のナビゲーションシステムにおいて、
上記制御部は、
上記ナビゲーションシステムの利用者の現在位置情報を取得する現在位置情報取得手段、
を更に備え、
上記地図情報表示手段は、
上記案内経路探索手段により探索された上記案内経路前方、且つ、上記現在位置情報取得手段により取得された上記現在位置情報に基づく上記ナビゲーションシステムの上記利用者の現在位置から直近の、当該案内経路を含む地図に関する上記縮尺閾値地図情報取得手段により取得された上記地図情報を上記表示部に強調表示させることを特徴とする、ナビゲーションシステム。
【請求項８】
請求項１乃至７のいずれか一つに記載のナビゲーションシステムにおいて、
上記ナビゲーションシステムは、
入力部
を更に備え、
上記表示縮尺取得手段は、
上記入力部を介して入力された、上記表示地点情報および上記表示縮尺を取得することを特徴とする、ナビゲーションシステム。
【請求項９】
表示部と制御部と記憶部とを少なくとも備えたナビゲーションシステムにおいて実行されるナビゲーション方法であって、
上記記憶部は、
複数の縮尺の地図に関する地図情報、または、上記複数の縮尺の地図に対応可能な上記地図情報を記憶する地図情報記憶手段と、
上記地図上の所定領域に関する所定領域情報、および、当該所定領域に設定された縮尺である縮尺閾値を記憶する縮尺閾値記憶手段と、
を備え、
上記制御部において実行される、
上記表示部において表示させる上記地図情報に基づく上記地図上の地点である表示地点に関する表示地点情報、および、当該地図の表示縮尺を取得する表示縮尺取得ステップと、
上記表示縮尺取得ステップにて取得された上記表示地点情報および上記表示縮尺に基づく上記地図の表示範囲に存在する、上記縮尺閾値記憶手段に記憶された上記所定領域情報に基づく上記所定領域を検出する所定領域検出ステップと、
上記所定領域検出ステップにて検出された上記所定領域に設定された、上記縮尺閾値記憶手段に記憶された上記縮尺閾値を取得する縮尺閾値取得ステップと、
上記縮尺閾値取得ステップにて取得された上記縮尺閾値の、上記所定領域検出ステップにて検出された上記所定領域の、上記地図に関する上記地図情報記憶手段に記憶された上記地図情報を取得する縮尺閾値地図情報取得ステップと、
上記縮尺閾値地図情報取得ステップにて取得された上記地図情報を上記表示部に表示させる地図情報表示ステップと、
を含むことを特徴とする、ナビゲーション方法。
【請求項１０】
表示部と制御部と記憶部とを少なくとも備えたナビゲーションシステムに実行させるためのプログラムであって、
上記記憶部は、
複数の縮尺の地図に関する地図情報、または、上記複数の縮尺の地図に対応可能な上記地図情報を記憶する地図情報記憶手段と、
上記地図上の所定領域に関する所定領域情報、および、当該所定領域に設定された縮尺である縮尺閾値を記憶する縮尺閾値記憶手段と、
を備え、
上記制御部において、
上記表示部において表示させる上記地図情報に基づく上記地図上の地点である表示地点に関する表示地点情報、および、当該地図の表示縮尺を取得する表示縮尺取得ステップと、
上記表示縮尺取得ステップにて取得された上記表示地点情報および上記表示縮尺に基づく上記地図の表示範囲に存在する、上記縮尺閾値記憶手段に記憶された上記所定領域情報に基づく上記所定領域を検出する所定領域検出ステップと、
上記所定領域検出ステップにて検出された上記所定領域に設定された、上記縮尺閾値記憶手段に記憶された上記縮尺閾値を取得する縮尺閾値取得ステップと、
上記縮尺閾値取得ステップにて取得された上記縮尺閾値の、上記所定領域検出ステップにて検出された上記所定領域の、上記地図に関する上記地図情報記憶手段に記憶された上記地図情報を取得する縮尺閾値地図情報取得ステップと、
上記縮尺閾値地図情報取得ステップにて取得された上記地図情報を上記表示部に表示させる地図情報表示ステップと、
を実行させるためのプログラム。